(57)【要約】【課題】対象機器の操作対象部位を操作したときの動作挙動を、容易かつわかりやすく知ることができ、利便性を向上することができる。【解決手段】ＣＰＵは、タッチパネル部の、コンテンツ又はコンテンツ関連情報に係わる操作対象部位を表示した表示領域に対し、操作者によるタップ操作が行われたか否かを判定するタップ判定手順（ステップＳ２１）と、タップ判定手順で表示領域に対しタップ操作が行われたと判定された場合に、ＲＯＭに記憶された、当該タップ操作に対応する動画情報を取得する動画取得手順（ステップＳ２２）と、動画取得手順で取得された動画情報を表示するようにタッチパネル部を制御する第１表示制御手順（ステップＳ２３）と、を実行する。【選択図】図１５
2015043179.tif 000002
【特許請求の範囲】
【請求項１】
予め定められた、特徴形状部及び操作対象部位、を備える印刷装置の外観又は外観像の少なくとも一部を撮像して対応する撮像画像データを生成する撮像手段と、所望の操作機能及び所望の表示機能を備えたタッチパネル部と、を有する情報端末の演算手段に対し、
前記撮像手段により生成された前記撮像画像データに、前記特徴形状部が含まれるか否かを判定する特徴判定手順と、
前記特徴判定手順で前記撮像画像データに前記特徴形状部が含まれると判定されたことを契機に、前記操作対象部位に係わるコンテンツ又はコンテンツ関連情報及び当該操作対象部位が操作されたときの前記印刷装置の動作挙動に係わる動画情報を当該操作対象部位に対応づけて記憶した記憶手段から、対応する前記操作対象部位が前記撮像画像データに含まれる前記コンテンツ又はコンテンツ関連情報を取得するコンテンツ取得手順と、
前記タッチパネル部の、前記コンテンツ又はコンテンツ関連情報に係わる前記操作対象部位を表示した表示領域に対し、操作者によるタップ操作が行われたか否かを判定するタップ判定手順と、
前記タップ判定手順で前記表示領域に対し前記タップ操作が行われたと判定された場合に、前記記憶手段に記憶された、当該タップ操作に対応する前記動画情報を取得する動画取得手順と、
前記動画取得手順で取得された前記動画情報を表示するように前記タッチパネル部を制御する第１表示制御手順と、
を実行させるための画像処理プログラム。
【請求項２】
請求項１記載の画像処理プログラムにおいて、
前記演算手段に対し、さらに、
前記撮像手段により生成された前記撮像画像データの前記操作対象部位に対し、前記コンテンツ取得手段により取得された当該操作対象部位に対応した前記コンテンツ又はコンテンツ関連情報を付加して、付加後画像データを生成する画像生成手順と、
前記画像生成手順で生成された前記付加後画像データを表示するように前記タッチパネル部を制御する第２表示制御手順と、
を実行させると共に、
タップ判定手順では、前記付加後画像データを表示した前記タッチパネル部の、前記コンテンツ又はコンテンツ関連情報に係わる前記操作対象部位を表示した表示領域に対し、操作者によるタップ操作が行われたか否かを判定し、
第１表示制御手順は、前記画像生成手順で生成され前記第２表示制御手順で表示された前記付加後画像データに代えて、前記動画取得手順で取得された前記動画情報を表示するように前記タッチパネル部を制御する
ことを特徴とする画像処理プログラム。
【請求項３】
請求項１又は請求項２記載の画像処理プログラムにおいて、
前記動画取得手順は、
前記タップ操作に係わる前記操作対象部位が、操作者が印刷物作成を指示するための印刷指示部であった場合には、前記印刷装置による印刷物作成及び印刷物排出の挙動を含む前記動画情報を取得する
ことを特徴とする画像処理プログラム。
【発明の詳細な説明】
【技術分野】
【０００１】
本発明は、画像処理プログラムに係わり、特に、情報端末で撮像した画像に、情報端末の記憶手段に記憶した複数のコンテンツ等の画像を合成して表示するようにした画像処理プログラムに関する。
【背景技術】
【０００２】
従来から、複合機等の対象機器と、この対象機器に対応するヘルプ情報を提供するサーバ装置と、撮像カメラ等の撮像手段を備えた携帯通信端末と、がネットワークに接続され、対象機器は機器ＩＤと状態コードとをサーバ装置へ送信可能とするとともに、携帯通信端末は対象機器の正面に貼り付けられた二次元バーコードを撮像し、そのバーコード情報をサーバ装置へ送信することによって対象機器の状態に対応する固有のヘルプ情報を取得したうえで、そのヘルプ情報と撮像画像データとを合成し、ＡＲ（Ａｕｇｕｍｅｎｔｅｄ  Ｒｅａｌｉｔｙ：拡張現実感）表示する技術が知られている。
【先行技術文献】
【特許文献】
【０００３】
【特許文献１】特開２０１０−２１９８７９号公報
【発明の概要】
【発明が解決しようとする課題】
【０００４】
しかしながら、上述した従来の画像処理プログラムにあっては、サーバー装置は、対象機器の状態コードを単に表示するのみであるため、例えば、対象機器御の操作対象部位を操作したときの動作挙動を、容易かつわかりやすく知ることができず、利便性に劣るという問題が生じていた。
【０００５】
本発明の目的は、対象機器御の操作対象部位を操作したときの動作挙動を、容易かつわかりやすく知ることができ、利便性を向上することができる画像処理プログラムを提供することにある。
【課題を解決するための手段】
【０００６】
上記目的を達成するために、本願発明は、予め定められた、特徴形状部及び操作対象部位、を備える印刷装置の外観又は外観像の少なくとも一部を撮像して対応する撮像画像データを生成する撮像手段と、所望の操作機能及び所望の表示機能を備えたタッチパネル部と、を有する情報端末の演算手段に対し、前記撮像手段により生成された前記撮像画像データに、前記特徴形状部が含まれるか否かを判定する特徴判定手順と、前記特徴判定手順で前記撮像画像データに前記特徴形状部が含まれると判定されたことを契機に、前記操作対象部位に係わるコンテンツ又はコンテンツ関連情報及び当該操作対象部位が操作されたときの前記印刷装置の動作挙動に係わる動画情報を当該操作対象部位に対応づけて記憶した記憶手段から、対応する前記操作対象部位が前記撮像画像データに含まれる前記コンテンツ又はコンテンツ関連情報を取得するコンテンツ取得手順と、前記タッチパネル部の、前記コンテンツ又はコンテンツ関連情報に係わる前記操作対象部位を表示した表示領域に対し、操作者によるタップ操作が行われたか否かを判定するタップ判定手順と、前記タップ判定手順で前記表示領域に対し前記タップ操作が行われたと判定された場合に、前記記憶手段に記憶された、当該タップ操作に対応する前記動画情報を取得する動画取得手順と、前記動画取得手順で取得された前記動画情報を表示するように前記タッチパネル部を制御する第１表示制御手順と、を実行させる事を特徴とする。
【０００７】
本願発明の画像処理プログラムが実行される情報端末は、撮像手段と、タッチパネル部と、記憶手段と、を備えている。そして、撮像手段で印刷装置を撮像することにより、当該印刷装置の撮像画像に対して所定のコンテンツ又は当該コンテンツに関連するコンテンツ関連情報（以下適宜、これらを総称して「コンテンツ等」という）が付加された、新たな画像が生成され、タッチパネル部において表示される。
【０００８】
すなわち、印刷装置の外観又は外観像には、特徴形状部と、上記コンテンツ等が対応付けられる所定の操作対象部位とが備えられている。また、上記記憶手段には、上記コンテンツ等と、上記操作対象部位が操作されたときの印刷装置の動作挙動に係わる動画情報（例えば、操作対象部位が操作されたときに当該操作対象部位を含む印刷装置全体がどのように動作するかを表すもの）とが、当該操作対象部位に固有に対応付けられた態様で記憶されている。
【０００９】
そして、本願発明の画像処理プログラムが上記演算手段で実行されると、まず特徴判定手順で、上記撮像手段の撮像により生成された撮像画像データの中に、上記特徴形状部が含まれるか否かが判定される。特徴形状部が含まれており上記判定が満たされた場合には、これを契機に、コンテンツ取得手順が実行される。すなわち、本願発明においては、印刷装置の特徴形状部が撮像されることをトリガーとして、以降の各処理が順次行われることとなる。
【００１０】
上記コンテンツ取得手順では、上記記憶手段に記憶された複数のコンテンツ等のうち、対応する操作対象部位が上記撮像画像データに含まれるもの（言い替えれば撮像手段の撮像視野範囲内に操作対象部位が存在するもの）が少なくとも取得される。
【００１１】
そして、タッチパネル部の、当該操作対象部位の表示領域を操作者がタップ操作すると、タップ判定手順で当該タップ操作が行われた旨の判定が行われる。すると、その後の動画取得手順で、前述のように記憶手段に記憶されていた当該タップ操作に対応する動画情報が取得され、第１表示制御手順でその動画情報がタッチパネル部において表示される。
【００１２】
以上のようにして、本願発明においては、印刷装置の外観又は外観像を撮像することで、その撮像画像中に含まれる操作対象部位に、対応する内容のコンテンツ等を併せて表示することができる。さらに、その操作対象部位にタップ操作を行うことで、現実の印刷装置の動作と同様の動作挙動をタッチパネル上に表示しシミュレーションすることができる。
【００１３】
これにより、操作者は、印刷装置の実物や印刷装置の外観を表す写真・図等さえあれば、例えば、取扱説明書に記載した詳細を読まなくても、印刷装置の当該操作対象部位の機能、操作方法、警告等の各種情報、及び、その操作対象部位を操作したときの動作挙動を、容易かつわかりやすく知ることができる。この結果、操作者の利便性を向上することができる。
【発明の効果】
【００１４】
本発明によれば、対象機器御の操作対象部位を操作したときの動作挙動を、容易かつわかりやすく知ることができ、利便性を向上することができる。
【図面の簡単な説明】
【００１５】
【図１】本発明の画像処理プログラムに適用される、印刷装置（実機）の一例の正面図である。
【図２】図１に示した印刷装置に対応する簡易取扱説明書の一例の正面図である。
【図３】本発明の画像処理プログラムにおける、情報端末における印刷装置（実機）を撮像した場合におけるタッチパネル部の表示例を示し、実機表示状態からＡＲ表示状態に変化する説明図である。
【図４】本発明の画像処理プログラムにおける、情報端末における印刷装置（実機）を撮像した場合におけるタッチパネル部の表示例を示し、ＡＲ拡大表示状態の説明図である。
【図５】本発明の画像処理プログラムにおける、情報端末における印刷装置（取扱説明書の電源ボタン操作部分）を撮像した場合におけるタッチパネル部の表示例を示す説明図である。
【図６】本発明の画像処理プログラムにおける、情報端末における印刷装置（取扱説明書の電源ボタン操作部分）を撮像した場合におけるＡＲ表示状態の説明図である。
【図７】本発明の画像処理プログラムにおける、情報端末における印刷装置（取扱説明書の電源ボタン操作部分）を撮像した場合における他のＡＲ表示状態の説明図である。
【図８】本発明の画像処理プログラムにおける、情報端末における印刷装置（取扱説明書の印刷ボタン操作部分）を撮像した場合におけるタッチパネル部の表示例を示す説明図である。
【図９】本発明の画像処理プログラムにおける、情報端末における印刷装置（取扱説明書の印刷ボタン操作部分）を撮像した場合におけるＡＲ表示状態の説明図である。
【図１０】本発明の画像処理プログラムにおける、情報端末における印刷装置（取扱説明書の印刷ボタン操作部分）を撮像し、タッチパネル部において印刷ボタンを操作した場合の動画表示例を示す説明図である。
【図１１】本発明の画像処理プログラムにおける、情報端末における印刷装置（取扱説明書のラベルカットボタン操作部分）を撮像した場合におけるタッチパネル部の表示例を示す説明図である。
【図１２】本発明の画像処理プログラムにおける、情報端末における印刷装置（取扱説明書のテープカットボタン操作部分）を撮像した場合におけるＡＲ表示状態を示す説明図である。
【図１３】本発明の画像処理プログラムにおける、メインルーチンのフロー図である。
【図１４】本発明の画像処理プログラムにおける、言語切り換えルーチンのフロー図である。
【図１５】本発明の画像処理プログラムにおける、動画再生ルーチンのフロー図である。
【図１６】本発明の画像処理プログラムにおける、音声再生ルーチンのフロー図である。
【発明を実施するための形態】
【００１６】
先ず、図１において、本発明の撮像対象である印刷装置としてのラベル作成装置を説明する。ラベル作製装置（以下、単に「実機」とも称する）１０は、電源ボタン１１と、印刷ボタン１２と、各種テンキーや英字キー等の操作キー部１３と、文字入力時に入力文字等を表示する表示部１４と、入力した文字に基づくラベル印刷を実行した際にラベルをカットするためのラベルカットレバー１５と、を操作対象部位として備えている。なお、ラベル作製装置１０は、例えば、図示しないパーソナルコンピュータとの接続用のＵＳＢ接続部や電源接続部等を備え、常時は交換式の電池から電源供給されるようになっている。
【００１７】
また、ラベル作製装置１０は、例えば、販売時のパッケージや取扱説明書において、図２に示すように、簡易取扱説明書２０によって利用者に操作に関する情報等を認識可能としている。この簡易取扱説明書２０は、通常のラベル印刷時における必要最低限の操作に関する取扱説明書又は使用説明書で良く、例えば、電源投入（図２の左上）操作、文字入力操作（図２の右上）、印刷実行操作（図２の左下）、ラベルカット操作（図２の右下）等が印刷されている。ここで、取扱説明書には、例えば、直観的な操作を認識させるため、ラベル作製装置１０及び操作する手（又は指）の全部または一部を模した絵や写真を印刷しており、その他の情報等は印刷されていなくても良い。これにより、取扱説明書の記入情報の簡素化並びに頁数の削減に貢献することができる。
【００１８】
図３に示すように、情報端末３０には、例えば、スマートフォンが用いられている。この情報端末３０は、例えば、表面側に通話等のためのスピーカ部３１及びマイク部３２と、タッチパネル方式の液晶表示器等のタッチパネル部３３と、を有する。なお、情報端末３０の裏面側に撮像手段としてのカメラ部３４が設けられている。さらに、情報端末３０の内部には、通話やインターネット接続のための通信部（図示せず）、各種機能を実行するためのプラグラムを記憶したＲＯＭ（図示せず）、一時的な情報記録用のＲＡＭ（図示せず）、ＲＯＭに記憶したプログラムを実行するためのＣＰＵ（図示せず）等の公知の情報処理部を備えている。
【００１９】
情報端末３０のＲＯＭには、ラベル作製装置１０の特徴形状部や、コンテンツ又はコンテンツ関連情報及び上述した操作対象部位が操作されたときのラベル作成装置１０の動作挙動に係わる動画情報を各操作対象部位に対応づけて記憶している。また、情報端末３０のカメラ部３４は、撮像した画像をタッチパネル部３３に表示するようになっている。
【００２０】
これにより、ラベル作製装置１０や簡易取扱説明書２０は、例えば、図３に示すように、ラベル作製装置１０を情報端末３０のカメラ部３４で撮像することによって、ラベル作製装置１０の外観形状、各種ボタン１１，１２，１３、或いは表示部１４やラベルカットレバー１５の大きさ、位置、形状等を特徴形状部として識別し、その機種を特定したうえで各種ボタン１１，１２，１３、或いは表示部１４やラベルカットレバー１５の操作対象部位の説明等をタッチパネル部３３にＡＲ表示することができる。なお、ＡＲ表示技術そのものは公知の技術を用いている。
【００２１】
具体的には、図４に示すように、情報端末３０のカメラ部３４で撮像したラベル作製装置１０の画像をタッチパネル部３３に表示している際に、その撮像対象とＲＯＭに記憶した特徴形状部をＣＰＵで比較し、撮像対象がＲＯＭに記憶した特徴形状部に含まれるとしたときに、ラベル作製装置１０として、タッチパネル部３３の表示外観上に直接文章を表示するデモのパターン（例えば、「電源ボタンを押して下さい」等）を示すコンテンツ３５を表示する。
【００２２】
また、情報端末３０のカメラ部３４で撮像したラベル作製装置１０の画像をタッチパネル部３３に表示している際に、その撮像対象とＲＯＭに記憶した特徴形状部とをＣＰＵで比較し、撮像対象がＲＯＭに記憶した特徴形状部に含まれているときに、ラベル作製装置１０として、表示外観上に対応する捜査対象部位からの引き出した引出線に加えて矩形枠等で囲った「ボタン名」等を表示してタップ待ちとするコンテンツ関連情報３６を表示する。
【００２３】
なお、タップは、コンテンツ３５、コンテンツ関連情報３６、タッチパネル部３３に表示している各種ボタン１１，１２，１３等を利用することができる。
【００２４】
この際、カメラ部３４のズーム機能や、情報端末３０をラベル作製装置１０に接近又は離間させることにより、タッチパネル部３３に表示している表示外観の大きさやコンテンツ関連情報３６等の表示サイズも変更することができる。
【００２５】
また、簡易取扱説明書２０を利用した場合には、ラベル作製装置１０の印刷画像に加え、操作状態を示す手や指等も特徴形状部として認識する。これにより、情報端末３０では、図５に示すように、カメラ部３４で撮像した状態そのものを特徴形状部として認識する。
【００２６】
すなわち、情報端末３０のＲＯＭには、簡易取扱説明書２０の特徴形状部や、コンテンツ３５又はコンテンツ関連情報３６及び上述した操作対象部位が操作されたときのラベル作成装置１０の動作挙動に係わる動画情報を各操作対象部位に対応づけて記憶している。
【００２７】
具体的には、図５に示すように、情報端末３０のカメラ部３４で撮像した画像をタッチパネル部３３に表示している際に、その撮像対象とＲＯＭに記憶した特徴形状部をＣＰＵで比較し、撮像対象がＲＯＭに記憶した特徴形状部に含まれるときに、図６に示すように、ラベル作製装置１０と手を模した絵や写真（以下、単に「外観像」とも称する）を、タッチパネル部３３の表示外観上に直接文章（例えば、「電源ボタンを押して下さい」等）を表示するデモのパターンを示すコンテンツ３５を表示する。
【００２８】
また、情報端末３０のカメラ部３４で撮像した画像をタッチパネル部３３に表示している際に、その撮像対象とＲＯＭに記憶した特徴形状部とをＣＰＵで比較し、撮像対象がＲＯＭに記憶した特徴形状部に含まれているときに、外観像を、表示外観上に対応する捜査対象部位から引き出した引出線に加えて矩形枠等で囲った「ボタン名」等を表示してタップ待ちとするコンテンツ関連情報３６を表示する。
【００２９】
ここで、タッチパネル部３３には、例えば、日本語表示ボタン３３ａと英語表示ボタン３３ｂとが表示されている。これにより、ＣＰＵは、常時（又は初期設定）においては日本語によりコンテンツ３５やコンテンツ関連情報３６等を表示する。また、ＣＰＵは、日本語表示状態において、英語表示ボタン３３ｂをタップ操作すると、英語によるコンテンツ３５やコンテンツ関連情報３６の表示に切り替える。なお、ラベル作成装置１０が英語圏用の装置（形状や銘板）である場合、情報端末３０のＧＰＳ機能を利用して取得した現在位置の母国語が英語圏である場合、情報端末３０の言語設定が英語である場合、情報端末３０は、これらを切替補助情報として、初期設定又は自動的に切り替えて英語表示とする。
【００３０】
さらに、図７に示すように、コンテンツ関連情報３６は、タッチパネル部３３に表示した外観像のうち表示部１４に相当する部位に、直接文章（例えば、「電源ボタンを押して下さい」等）を一度に又はスクロールによるデモのパターンを示すコンテンツ３５を表示する。
【００３１】
また、図８に示すように、コンテンツ関連情報３６は、タッチパネル部３３に表示した外観像のうち、印刷実行ボタン１２に相当する部位を表示している場合に、図９に示すように、コンテンツ３５としての「印刷ボタン」やコンテンツ関連情報３６としての「印刷ボタンを押して下さい」、或いは印刷ボタン１２を模した外観像等をタップしたときには、図１０に示すように、あたかも印刷を実行しているように引き出されるラベルを模した動画情報３７を表示する。
【００３２】
さらに、図１１に示すように、コンテンツ関連情報３６は、タッチパネル部３３に表示した外観像のうち、ラベルカットレバー１４に相当する部位を表示している場合に、図１２に示すように、コンテンツ３５を表示する。このコンテンツ３５には、例えば、スピーカマーク３５ａが表示される。そして、このスピーカマーク３５ａをタップすると、コンテンツ３５と同じ内容の音声をスピーカ３１から出力する。
【００３３】
このように、予め定められた、特徴形状部及び操作対象部位（電源ボタン１１、印刷ボタン１２、操作キー部１３、表示部１４、ラベルカットレバー１５等）、を備えるラベル作製装置１０の外観（実機）又は簡易取扱説明書２０等の外観像の少なくとも一部を撮像して対応する撮像画像データを生成するカメラ部３４と、所望の操作機能及び所望の表示機能を備えたタッチパネル部３３と、を有する情報端末３０は、プログラムに基づいて各種処理を行うＣＰＵを備えている。
【００３４】
以下、情報端末３０のＣＰＵによるメイン処理ルーチンを図１３を参照して説明する。
【００３５】
先ず、情報端末３０のＣＰＵは、ＲＯＭに記憶したプログラムにより、ＡＲモードを起動する（ステップＳ１）。
【００３６】
次に、情報端末３０のＣＰＵは、タッチパネル部３３をフルスクリーン表示とするための処理を含むＡＲモードの起動処理中であるスプラッシュスクリーン処理を実行する（ステップＳ２）。
【００３７】
情報端末３０のＣＰＵは、ＲＯＭに記憶した特徴形状部に関するデータを取得し、例えばＲＡＭに一時格納する（ステップＳ３）。なお、特徴形状部に関するデータをＲＡＭに一時記憶したのは、処理速度の確保のためであり、その必要が無い場合にはＲＯＭに記憶した特徴形状部に関するデータを直接利用する。
【００３８】
情報端末３０のＣＰＵは、カメラ部３４を起動し（ステップＳ４）、カメラ部３４で撮像（リアルタイム）したデータから撮像画像データを生成してタッチパネル部３３に表示する（ステップＳ５）。
【００３９】
情報端末３０のＣＰＵは、撮像画像データとＲＡＭに一時記憶した特徴形状部に関するデータとを比較して、特徴形状部が撮像画像データに含まれるか否かを判定する（ステップＳ６）。
【００４０】
なお、このステップＳ６での比較判定は、特徴形状部が撮像画像データに含まれない場合には、カメラ部３４で撮像（リアルタイム）したデータから撮像画像データを生成してタッチパネル部３３に表示しつつ、継続して特徴形状部が撮像画像データに含まれるか否かを判定する。
【００４１】
ここで、情報端末３０のＣＰＵは、特徴形状部が撮像画像データに含まれている場合には、対応する特徴形状部に含まれる操作対象部位のコンテンツ３５又はコンテンツ関連情報３６を取得する（ステップ７）。
【００４２】
ここで、情報端末３０のＣＰＵは、タッチパネル部３３に、カメラ部３４で撮像したデータに基づく画像とコンテンツ３５又はコンテンツ関連情報３６をビデオファイルから作成されたアニメーション化した画像とで、ＡＲ表示する。
【００４３】
そして、このＡＲ表示状態において、情報端末３０のＣＰＵは、待機状態となる。なお、情報端末３０が移動された場合には、上述したステップＳ５以降のルーチンをリアルタイムで表示する。
【００４４】
次に、図１４に基づいて言語切り換えモードの説明をする。なお、この言語切り換えモードは、割り込みモードであって、ステップＳ９以降のルーチンにおいて、例えば、図６に示すように、日本語表示ボタン３３ａと英語表示ボタン３３ｂとが表示されているときに割り込み可能となっている。
【００４５】
情報端末３０のＣＰＵは、言語切り換え、すなわち、英語表示ボタン３３ｂがタップされたことを認識すると（ステップＳ１１）、現在表示状態のコンテンツ３５又はコンテンツ関連情報３６の日本語表示を英語表示に切り替え（ステップＳ１２）、実質的にステップＳ９と同様の画像処理（３Ｄ表示）を行って（ステップＳ１３)、待機状態となる。
【００４６】
次に、図１５に基づいて、動画再生モードの説明をする。なお、この動画生成モードにおいても、割り込みモードであって、ステップＳ９以降のルーチンにおいて、例えば、図９に示すように、動画対象であるコンテンツ３５を表示しているときに、該当するコンテンツ３５や外観像上の印刷ボタン１２をタップしたときに割り込み可能となっている。
【００４７】
情報端末３０のＣＰＵは、動画対象であるコンテンツ３５又は印刷ボタン１２を表示しているときに、これらを操作対象部位としてタップされると（ステップＳ２１)，ＲＡＭ（又はＲＯＭ）から動画データを取得し（ステップＳ２２）、例えば、図１０に示すように、あたかも実際の印刷時のラベルが引き出されるような動画の表示を開始する（ステップＳ２３)。
【００４８】
情報端末３０のＣＰＵは、例えば、動画再生途中において、動画停止操作、例えば、動画対象であるコンテンツ３５又は印刷ボタン１２等の操作対象部位が再びタップされたか否かを監視し（ステップＳ２４）、タップされた場合には動画の再生を停止する（ステップＳ２５）。
【００４９】
情報端末３０のＣＰＵは、例えば、動画再生途中において、動画停止操作、例えば、動画対象であるコンテンツ３５又は印刷ボタン１２等の操作対象部位が連続したダブルタップされたか否かを監視し（ステップＳ２６）、ダブルタップされた場合には該当する部分のみの全画面表示用の動画情報をＲＡＭから取得し（ステップＳ２７)，例えば、図１０の二点鎖線で囲む全画面表示（例えば、二点鎖線３３Ａで囲む範囲を拡大）に切り替えて動画の再生を継続する（ステップＳ２８）。
【００５０】
そして、情報端末３０のＣＰＵは、動画再生が終了するまで、実質的にステップＳ２３又はステップＳ２８を待機し、動画再生が終了した場合には、ステップＳ１０の待機となる。また、ステップＳ２８の全画面表示において、動画再生中に再度のタップがあった場合、元の動画表示サイズに戻るようにすることもできる。
【００５１】
次に、図１６に基づいて音声出力モードの説明をする。なお、この音声出力モードは、割り込みモードであって、ステップＳ９以降のルーチンにおいて、例えば、図１２に示すように、スピーカボタン３５ａが表示されているときに割り込み可能となっている。
【００５２】
情報端末３０のＣＰＵは、音声出力、すなわち、スピーカボタン３５ａがタップされたことを認識すると（ステップＳ３１）、図１２に示すように、現在表示状態のコンテンツ３５の日本語表示と同一の文字に対応する音声をスピーカ３１から出力して（ステップＳ３２)、待機状態となる。
【００５３】
ところで、上記実施の形態では、例えば、印刷ボタン１２に対応する画像をタッチパネル部３３に表示しているときに、「印刷ボタンを押して下さい」といったメッセージをコンテンツ３５として表示してタップ可能としたものを開示したが、そのメッセージ内容は、より詳細な操作内容等を表示することができる。
【００５４】
例えば、上述したＵＳＢ接続部であれば、接続可能な機器（例えば、プリンタや複合機といったラベル作製以外の印刷装置やパーソナルコンピュータ等）の文字や画像を、電源接続部であれば、アダプタの入力（例えば、１００Ｖ〜２４０Ｖ）や出力（１８Ｖ）などの規格等の数値を表示することができる。
【００５５】
さらに、上記実施の形態では、ラベル作製装置１０の外側を対象としたが、カバーを取り外した状態の内部を対象とすることができる。例えば、電池やラベルカートリッジの交換方法情報、電池やラベルカートリッジの種類や番号といった商品情報、サーマルヘッドに対する危険情報（高温部分）といった各種情報をコンテンツ３５として表示することが可能である。
【００５６】
このように、ＣＰＵは、カメラ部３４により生成された撮像画像データに、特徴形状部が含まれるか否かを判定し（ステップＳ６）、撮像画像データに特徴形状部が含まれると判定されたことを契機に、操作対象部位に係わるコンテンツ３５又はコンテンツ関連情報３６及び当該操作対象部位が操作されたときのラベル作製装置１０の動作挙動に係わる動画情報３７を当該操作対象部位に対応づけて記憶したＲＯＭから、対応する操作対象部位が撮像画像データに含まれるコンテンツ３５又はコンテンツ関連情報３６を取得し（ステップＳ７）、タッチパネル部３３の、コンテンツ３５又はコンテンツ関連情報３６に係わる操作対象部位を表示した表示領域に対し、操作者によるタップ操作が行われたか否かを判定するタップ判定手順（ステップＳ２１）と、タップ判定手順で表示領域に対しタップ操作が行われたと判定された場合に、ＲＯＭに記憶された、当該タップ操作に対応する動画情報３７を取得する動画取得手順（ステップＳ２２）と、動画取得手順で取得された動画情報３７を表示するようにタッチパネル部３３を制御する第１表示制御手順（ステップＳ２３）と、を実行する。
【００５７】
このように、本実施の形態の画像処理プログラムが実行される情報端末３０は、カメラ部３４と、タッチパネル部３３と、ＲＯＭと、を備えている。そして、カメラ部３４でラベル作製装置１０又は簡易取扱説明書２０を撮像することにより、ラベル作製装置１０又は簡易取扱説明書２０の撮像画像に対して所定のコンテンツ３５又はコンテンツ３５に関連するコンテンツ関連情報３６が付加された、新たな画像（ＡＲ）が生成され、タッチパネル部３３において表示される。
【００５８】
すなわち、ラベル作製装置１０の外観又は簡易取扱説明書２０の外観像には、ラベル作製装置１０の外観形状、各種ボタン１１，１２，１３、或いは表示部１４やラベルカットレバー１５の大きさ、位置、形状等の特徴形状部と、コンテンツ等３５，３６が対応付けられる各種ボタン１１，１２，１３ラベルカットレバー１５等の所定の操作対象部位とが備えられている。
【００５９】
また、情報端末３０のＲＯＭには、コンテンツ等３５，３６と、操作対象部位が操作されたときのラベル作製装置１０の動作挙動に係わる動画情報３７、例えば、操作対象部位が操作されたときに操作対象部位を含むラベル作製装置１０全体がどのように動作するかを表すものとが、操作対象部位に固有に対応付けられた態様で記憶されている。
【００６０】
そして、本実施の形態の画像処理プログラムが情報端末３０のＣＰＵで実行されると、まずステップＳ６の特徴判定手順で、カメラ部３４の撮像により生成された撮像画像データの中に、特徴形状部が含まれるか否かが判定される。特徴形状部が含まれており判定が満たされた場合には、これを契機に、ステップＳ７のコンテンツ取得手順が実行される。
【００６１】
すなわち、本実施の形態においては、ラベル作製装置１０の特徴形状部が撮像されることをトリガーとして、以降の各処理が順次行われることとなる。
【００６２】
すなわち、ステップＳ７のコンテンツ取得手順では、情報端末３０のＲＯＭに記憶された複数のコンテンツ等３５，３６のうち、対応する操作対象部位が撮像画像データに含まれるもの、言い替えればカメラ部３４の撮像視野範囲内に操作対象部位が存在するものが少なくとも取得される。
【００６３】
そして、タッチパネル部３３の、操作対象部位の表示領域を操作者がタップ操作すると、ステップＳ２１のタップ判定手順でタップ操作が行われた旨の判定が行われる。すると、その後のステップＳ２２の動画取得手順で、前述のように情報端末３０のＲＯＭに記憶されていたタップ操作に対応する動画情報が取得され、ステップＳ２３の第１表示制御手順でその動画情報がタッチパネル部３３において表示される。
【００６４】
以上のようにして、本実施の形態においては、ラベル作製装置１０の外観又は簡易取扱説明書２０の外観像を撮像することで、その撮像画像中に含まれる操作対象部位に、対応する内容のコンテンツ等３５，３６を併せて表示することができる。さらに、その操作対象部位にタップ操作を行うことで、現実のラベル作製装置１０の動作と同様の動作挙動をタッチパネル部３３上に表示しシミュレーションすることができる。
【００６５】
これにより、操作者は、ラベル作製装置１０の実物やラベル作製装置１０の外観を表す写真・図等（簡易取扱説明書２０）さえあれば、特に取扱説明書の詳細を読まなくてもラベル作製装置１０の操作対象部位の機能、操作方法、警告等の各種情報、及び、その操作対象部位を操作したときの動作挙動を、容易かつわかりやすく知ることができる。この結果、操作者の利便性を向上することができる。
【００６６】
また、カメラ部３４により生成された撮像画像データの操作対象部位に対し、情報端末３０のＣＰＵにより取得された操作対象部位に対応したコンテンツ３５又はコンテンツ関連情報３６を付加して、付加後画像データを生成するステップＳ８の画像生成手順と、ステップＳ８の画像生成手順で生成された付加後画像データを表示するようにタッチパネル部３３を制御するステップＳ２８の第２表示制御手順（ステップＳ２８）と、を備え、ステップＳ２６のタップ判定手順では、付加後画像データを表示したタッチパネル部３３の、コンテンツ３５又はコンテンツ関連情報３６に係わる操作対象部位を表示した表示領域に対し、操作者によるタップ操作が行われたか否かを判定し、ステップＳ２３の第１表示制御手順は、ステップＳ８の画像生成手順で生成されステップＳ２８の第２表示制御手順で表示された付加後画像データに代えて、ステップＳ２２の動画取得手順で取得された動画情報を表示するようにタッチパネル部３３を制御する。
【００６７】
ステップＳ７のコンテンツ取得手順では、情報端末３０のＲＯＭに記憶された複数のコンテンツ等３５，３６のうち、対応する操作対象部位が撮像画像データに含まれるもの、言い替えればカメラ部３４の撮像視野範囲内に操作対象部位が存在するものが少なくとも取得される。
【００６８】
その後、ステップＳ８の画像生成手順において、取得されたコンテンツ等３５，３６を撮像画像データ中の対応する操作対象部位に付加した、新たな付加後画像データが生成される。これにより、撮像視野範囲内の操作対象部位にこれに対応するコンテンツ等３５，３６が付加された新たな画像データが生成され、その後のステップＳ２８の第２表示制御手順においてタッチパネル部３３において表示される。
【００６９】
そして、コンテンツ等３５，３６付きで操作対象部位を表示したタッチパネル部３３の、操作対象部位の表示領域を操作者がタップ操作すると、ステップＳ２１のタップ判定手順でタップ操作が行われた旨の判定が行われる。すると、その後のステップＳ２２の動画取得手順で、前述のように情報端末３０のＲＯＭに記憶されていたタップ操作に対応する動画情報が取得され、ステップＳ２３の第１表示制御手順でその動画情報がタッチパネル部３３において表示される。
【００７０】
さらに、ステップＳ２２の動画取得手順は、タップ操作に係わる操作対象部位が、操作者が印刷物作成を指示するための印刷ボタン１２（に対応する画像）であった場合には、ラベル作製装置１０による印刷物作成及び印刷物排出の挙動を含む動画情報を取得する。
【００７１】
これにより、操作者は、実際にラベル作製装置１０を動作させなくても、印刷物作成挙動や印刷物排出挙動をタッチパネル部３３上でシミュレーションすることができる。この結果、操作者の利便性を確実に向上することができる。
【００７２】
また、例えば、店頭において、パッケージに印刷された写真を利用して印刷のシミュレーションを行うことで、印刷速度の確認等を行うことができるといったように、デモンストレーション用の機器の代用としての利用も可能となる。
【００７３】
また、本実施の形態の情報端末３０のＣＰＵは、カメラ部３４により生成された撮像画像データに、特徴形状部が含まれるか否かを判定するステップＳ６の特徴判定手順と、ステップＳ６の特徴判定手順で撮像画像データに特徴形状部が含まれると判定されたことを契機に、複数のコンテンツ対象部位にそれぞれ係わる複数のコンテンツ３５又はコンテンツ関連情報３６を各コンテンツ対象部位にそれぞれ対応づけて記憶した情報端末３０のＲＯＭから複数のコンテンツ３５又はコンテンツ関連情報３６のうち、対応するコンテンツ対象部位が撮像画像データに含まれるものを少なくとも取得するステップＳ７のコンテンツ取得手順と、カメラ部３４により生成された撮像画像データのコンテンツ対象部位に対し、情報端末３０のＣＰＵにより取得されたコンテンツ対象部位に対応したコンテンツ３５又はコンテンツ関連情報３６を付加して、付加後画像データを生成するステップＳ８の画像生成手順と、ステップＳ８の画像生成手順で生成された付加後画像データをタッチパネル部３３に表示するステップＳ９の表示制御手順と、を実行する。
【００７４】
本実施の形態の画像処理プログラムが実行される情報端末３０は、カメラ部３４と、タッチパネル部３３と、ＲＯＭと、を備えている。そして、カメラ部３４でラベル作製装置１０の外観又は簡易取扱説明書２０の外観像を撮像することにより、ラベル作製装置１０の撮像画像に対して所定のコンテンツ３５又はコンテンツ３５に関連するコンテンツ関連情報３６等が付加された、新たな画像が生成され、タッチパネル部３３において表示される。
【００７５】
すなわち、ラベル作製装置１０の外観又は簡易取扱説明書２０の外観像には、少なくとも１つの特徴形状部と、コンテンツ等３５，３６がそれぞれ対応付けられる、所定の複数のコンテンツ対象部位とが備えられている。また、複数のコンテンツ等３５，３６は、それら複数のコンテンツ対象部位にそれぞれ固有に対応付けられた態様で情報端末３０のＲＯＭに記憶されている。
【００７６】
そして、本実施の形態の画像処理プログラムが情報端末３０のＣＰＵで実行されると、まずステップＳ６の特徴判定手順で、カメラ部３４の撮像により生成された撮像画像データの中に、特徴形状部が含まれるか否かが判定される。
【００７７】
特徴形状部が含まれているとの判定が満たされた場合には、これを契機に、ステップＳ７のコンテンツ取得手順が実行される。すなわち、本実施の形態においては、ラベル作製装置１０の特徴形状部が撮像されることをトリガーとして、以降の各処理が順次行われることとなる。
【００７８】
ステップＳ７のコンテンツ取得手順では、情報端末３０のＲＯＭに記憶された複数のコンテンツ等３５，３６のうち、対応するコンテンツ対象部位が撮像画像データに含まれるもの、言い替えればカメラ部３４の撮像視野範囲内にコンテンツ対象部位が存在するものが少なくとも取得される。
【００７９】
その後、ステップＳ８の画像生成手順において、取得されたコンテンツ等３５，３６を撮像画像データ中の対応するコンテンツ対象部位に付加した、新たな付加後画像データが生成される。
【００８０】
これにより、撮像視野範囲内のコンテンツ対象部位にこれに対応するコンテンツ等３５，３６が付加された新たな画像データが生成され、その後のステップＳ９の表示制御手順においてタッチパネル部３３において表示される。
【００８１】
以上のようにして、本実施の形態においては、ラベル作製装置１０の外観又は簡易取扱説明書２０の外観像を撮像するだけで、その撮像画像中に含まれるコンテンツ対象部位ごとに、部位に対応する内容のコンテンツ等３５，３６を、それぞれ併せて表示することができる。
【００８２】
これにより、操作者は、ラベル作製装置１０の実物やラベル作製装置１０の外観を表す写真・図等さえあれば、（特に取扱説明書の詳細を読まなくても）１つのラベル作製装置１０の複数の部位に係わる機能、操作方法、警告等の各種情報を部位ごとに容易に知ることができ、利便性を向上することができる。
【００８３】
また、ステップＳ８の画像生成手順は、カメラ部３４により生成された撮像画像データのコンテンツ対象部位に対し、コンテンツ関連情報３６としてのコンテンツ対象部位の名称を含み、かつ操作者がタップ操作可能な、タップボタンを付加した付加後画像データ（コンテンツ等３５，３６や印刷ボタン１２の画像）を生成する。
【００８４】
これにより、撮像視野範囲内にコンテンツ対象部位の名称表示を兼ねたタップボタンを表示しておき、そのタップボタンがさらにタップ操作されたときにコンテンツ３５の内容自体が詳細に表示される、という構成とすることができる。
【００８５】
したがって、コンテンツ３５の内容が比較的長文である場合等、コンテンツ３５の内容を撮像視野内のコンテンツ対象部位に全文表示することが困難な場合に、特に有効である。
【００８６】
さらに、ステップＳ８の画像生成手順は、カメラ部３４により生成された撮像画像データの時間的変化（例えば、撮影部位が左右にずれて視野が変わる場合）に係わらず、コンテンツ３５又はコンテンツ関連情報３６とこれに対応するコンテンツ対象部位との位置関係が、略一定に保たれるように、付加後画像データをリアルタイムで生成する。
【００８７】
これにより、カメラ部３４による撮影視野が変わり、撮影視野内におけるコンテンツ対象部位が動いたとしても、コンテンツ対象部位のコンテンツ等３５，３６も同期して一緒に動く。この結果、タッチパネル部３３において表示されているコンテンツ対象部位とコンテンツ等３５，３６との一体感を損なわずに維持することができる。
【００８８】
また、ステップＳ７のコンテンツ取得手順は、コンテンツ対象部位が操作者により操作される被操作部（印刷ボタン１２やラベルカットレバー１５等）である場合には、被操作部の操作方法（例えば、ラベルカットレバー１５の場合）又は機能（例えば、印刷ボタン１２）を含むコンテンツ３５又はコンテンツ関連情報３６を取得し、コンテンツ対象部位が他機器との接続部（ＵＳＢや電源用のコネクタ等）である場合には、接続可能な機器情報を含むコンテンツ３５又はコンテンツ関連情報３６を取得し、コンテンツ対象部位が要注意部位（カッタやサーマルヘッド）である場合には、要注意警告を含むコンテンツ３５又はコンテンツ関連情報３６を取得する。
【００８９】
これにより、撮像視野に被操作部（例えば、各種操作レバーや開閉カバーや蓋やつまみ等）が含まれるときには被操作部の操作方法や機能を附記して表示することができ、撮像視野に接続部（ＵＳＢや電源用のコネクタ等）が含まれるときには、その接続部が接続可能な機器名称等を附記して表示することができ、撮像視野に要注意部位（発熱部分や刃物部分等）が含まれるときには部位が要注意である旨の警告を附記して表示することができる。この結果、確実に利便性を向上することができる。
【００９０】
本実施の形態では、予め定められた、特徴形状部及びコンテンツ対象部位（操作レバー等，キーＳＷ，コネクタ，危険部分）、を備えるラベル作製装置１０の外観（実機）又は簡易取扱説明書２０の外観像（取説に印刷された機器の絵や写真）の少なくとも一部を撮像して対応する撮像画像データを生成するカメラ部３４と、所望の表示を行うタッチパネル部３３と、操作者が所望の操作を行うための操作手段と、を有する情報端末３０のＣＰＵに対し、カメラ部３４により生成された撮像画像データに、特徴形状部が含まれるか否かを判定するステップＳ６の特徴判定手順と、ステップＳ６の特徴判定手順で撮像画像データに特徴形状部が含まれると判定されたことを契機に、複数種類の言語ごとに用意されたコンテンツ対象部位に係わるコンテンツ３５又はコンテンツ関連情報３６をコンテンツ対象部位（操作ボタン，キーＳＷ，コネクタ，危険部分）に対応づけて記憶した情報端末３０のＲＯＭから、対応するコンテンツ対象部位が撮像画像データに含まれるコンテンツ３５又はコンテンツ関連情報３６を取得するステップＳ７のコンテンツ取得手順と、カメラ部３４により生成された撮像画像データのコンテンツ対象部位に対し、情報端末３０のＣＰＵにより取得されたコンテンツ対象部位に対応したコンテンツ３５又はコンテンツ関連情報３６を付加して、付加後画像データを生成するステップＳ８の画像生成手順と、ステップＳ８の画像生成手順で付加後画像データの生成のために付加されるコンテンツ３５又はコンテンツ関連情報３６の言語種類を選択的に切り替えるステップＳ１１の言語切替手順と、ステップＳ８の画像生成手順で生成された付加後画像データをタッチパネル部３３に表示するステップＳ９の表示制御手順と、を実行させる。
【００９１】
本実施の形態の画像処理プログラムが実行される情報端末３０は、カメラ部３４と、タッチパネル部３３と、ＲＯＭと、を備えている。そして、カメラ部３４でラベル作製装置１０の外観又は簡易取扱説明書２０の外観像を撮像することにより、ラベル作製装置１０の撮像画像に対して所定のコンテンツ３５又はコンテンツ３５に関連するコンテンツ関連情報３６が付加された、新たな画像が生成され、タッチパネル部３３において表示される。
【００９２】
すなわち、ラベル作製装置１０の外観又は簡易取扱説明書２０の外観像には、特徴形状部と、コンテンツ等３５，３６が対応付けられる所定のコンテンツ対象部位が備えられている。また、コンテンツ等３５，３６は、複数種類の言語ごとにそれぞれ用意されており、コンテンツ対象部位に固有に対応付けられた態様で記憶されている。
【００９３】
そして、本実施の形態の画像処理プログラムが情報端末３０のＣＰＵで実行されると、まずステップＳ６の特徴判定手順で、カメラ部３４の撮像により生成された撮像画像データの中に、特徴形状部が含まれるか否かが判定される。
【００９４】
特徴形状部が含まれており判定が満たされた場合には、これを契機に、ステップＳ７のコンテンツ取得手順が実行される。すなわち、本実施の形態においては、ラベル作製装置１０の特徴形状部が撮像されることをトリガーとして、以降の各処理が順次行われることとなる。
【００９５】
ステップＳ７のコンテンツ取得手順では、情報端末３０のＲＯＭに記憶された複数のコンテンツ等３５，３６のうち、対応するコンテンツ対象部位が撮像画像データに含まれるもの、言い替えればカメラ部３４の撮像視野範囲内にコンテンツ対象部位が存在するものが少なくとも取得される。
【００９６】
その後、ステップＳ８の画像生成手順において、取得されたコンテンツ等３５，３６を撮像画像データ中の対応するコンテンツ対象部位に付加した、新たな付加後画像データが生成される。
【００９７】
これにより、撮像視野範囲内のコンテンツ対象部位にこれに対応するコンテンツ等３５，３６が付加された新たな画像データが生成され、その後のステップＳ９の表示制御手順においてタッチパネル部３３において表示される。
【００９８】
その際、付加後画像データの生成のために付加されるコンテンツ等３５，３６の言語種類が、ステップＳ１１の言語切替手順によって選択的に切り替えられる。したがって、タッチパネル部３３において表示される新たな画像データ中のコンテンツ等３５，３６が、複数種類の言語のうちのいずれかに適宜に選択的に切り替え可能である。
【００９９】
以上のようにして、本実施の形態においては、ラベル作製装置１０の外観又は簡易取扱説明書２０の外観像を撮像するだけで、その撮像画像中に含まれるコンテンツ対象部位に、対応する内容のコンテンツ等３５，３６を併せて表示することができる。
【０１００】
これにより、操作者は、ラベル作製装置１０の実物やラベル作製装置１０の外観を表す写真・図等さえあれば、特に取扱説明書の詳細を読まなくてもラベル作製装置１０のコンテンツ対象部位の機能、操作方法、警告等の各種情報を容易に知ることができる。
【０１０１】
また、その際、コンテンツ等３５，３６の表示を、複数種類の言語の中から適宜に選択された言語で行うことにより、例えば操作者にとって最も理解しやすい言語で表示を行うことができ、利便性を向上することができる。
【０１０２】
また、ステップＳ１１の言語切替手順は、操作手段における操作者の切替操作に応じて、コンテンツ３５又はコンテンツ関連情報３６の言語種類を選択的に切り替えることができる。
【０１０３】
これにより、操作者の意思によって選択された言語でコンテンツ等３５，３６の表示を行うことができるので、操作者の利便性を確実に向上することができる。
【０１０４】
また、情報端末３０のＣＰＵに対し、ステップＳ１１の言語切替手順における切替のための切替補助情報（言語設定情報；銘板画像データ；ＧＰＳ位置情報）をさらに実行させ、ステップＳ１１の言語切替手順は、切替補助情報の内容に応じて、コンテンツ３５又はコンテンツ関連情報３６の言語種類を選択的に切り替える。
【０１０５】
本実施の形態においては、例えば、情報端末３０における言語設定情報や、撮像画像データのラベル作製装置１０の外観又は簡易取扱説明書２０の外観像に含まれる文字（例えばロゴや銘板等）の言語情報や、情報端末３０が取得した位置情報（例えばＧＰＳ機能により取得されたもの）、等の切替補助情報に基づき、ステップＳ１１の言語切替手順においてコンテンツ等３５，３６の言語種類の切り替えが自動的に行われる。これにより、操作者が手動操作で言語の選択を行う必要なく、適正な言語でコンテンツ等３５，３６の表示を行うことができるので、操作者の利便性を確実に向上することができる。
【０１０６】
また、ステップＳ１１の言語切替手順は、切替補助情報としての、情報端末３０における言語設定情報、撮像画像データのラベル作製装置１０の外観又は簡易取扱説明書２０の外観像に含まれる文字（ｅｘ．銘板）の言語情報、及び、情報端末３０が取得した位置情報、のうち少なくとも１つに応じて、コンテンツ３５又はコンテンツ関連情報３６の言語種類を選択的に切り替える。
【０１０７】
これにより、操作者が手動操作で言語の選択を行う必要なく、適正な言語でコンテンツ等３５，３６の表示を行うことができ、操作者の利便性を確実に向上することができる。
【０１０８】
さらに、情報端末３０のＲＯＭは、複数の仕向地にそれぞれ対応した複数の仕様のラベル作製装置１０の各仕様（ｅｘ．ＵＳ仕様，ＪＰ仕様）ごとに、コンテンツ３５又はコンテンツ関連情報３６をコンテンツ対象部位に対応づけて記憶しており、ステップＳ７のコンテンツ取得手順は、情報端末３０のＲＯＭに記憶されたコンテンツ３５又はコンテンツ関連情報３６のうち、撮像画像データのラベル作製装置１０の外観又は簡易取扱説明書２０の外観像に含まれる文字（例えば、英語圏仕向け品銘板）の言語情報に対応した仕様であるもの（英語表示のコンテンツ３５）を取得し、ステップＳ１１の言語切替手順は、切替補助情報としての、情報端末３０における言語設定情報（日本人が使用する情報端末３０なので日本語設定）に応じて、コンテンツ３５又はコンテンツ関連情報３６の言語種類を選択的に切り替える。
【０１０９】
本実施の形態においては、ラベル作製装置１０について、複数の仕向地にそれぞれ対応した複数の仕様（例えばアメリカ向け、日本向け等）が用意されている。そして、情報端末３０のＲＯＭは、各仕様ごとに、コンテンツ等３５，３６をコンテンツ対象部位に対応づけて記憶している。
【０１１０】
そしてステップＳ７のコンテンツ取得手順では、撮像画像データに含まれるラベル作製装置１０の外観（又は簡易取扱説明書２０の外観像）の文字に基づき、その言語種類に対応した仕様に係わるコンテンツ等３５，３６が取得される。
【０１１１】
その一方、ステップＳ１１の言語切替手順では、情報端末３０の言語設定に対応するように、取得されたコンテンツ等３５，３６の言語種類の切替が行われる。
【０１１２】
これにより、例えば、アメリカに在住してアメリカ向け仕様のラベル作製装置１０を使用している日本人の操作者が自らの持つ情報端末３０（言語設定が日本語となっている）で撮像を行うことで、アメリカ向け仕様のラベル作製装置１０のコンテンツ等３５，３６を最初から日本語で表示することができる。このようなきめの細かいコンテンツ等３５，３６の表示を行うことで、操作者の利便性をさらに確実に向上することができる。
【０１１３】
なお、本発明は、上記実施形態に限られるものではなく、その趣旨及び技術的思想を逸脱しない範囲内で種々の変形が可能である。
【０１１４】
さらに、本発明の印刷装置は、上記ラベル作製装置１０に限定されるものではなく、他の各種プリンタや複合機に対応することができる。また、同様に、情報端末３０においても、上述したスマートフォンに限定されず、他の携帯電話端末や各種タブレット端末等、撮像機能を備えたものであれば特に限定されるものではない。
【０１１５】
また、図１３、図１４、図１５、図１６に示すフローチャートは本発明を上記フローに示す手順に限定するものではなく、発明の趣旨及び技術的思想を逸脱しない範囲内で手順の追加・削除又は順番の変更等をしてもよい。
【０１１６】
その他、一々例示はしないが、本発明は、その趣旨を逸脱しない範囲内において、種々の変更が加えられて実施されるものである。
【符号の説明】
【０１１７】
１０              ラベル作製装置（印刷装置）
１１              電源ボタン（特徴形状部・操作対象部位）
１２              印刷ボタン（特徴形状部・操作対象部位）
１３              操作キー部（特徴形状部・操作対象部位）
１４              表示部（特徴形状部・操作対象部位）
１５              ラベルカットレバー（特徴形状部・操作対象部位）
２０              簡易取扱説明書
３０              情報端末
３３              タッチパネル部
３４              カメラ部（撮像手段）
３５              コンテンツ
３６              コンテンツ関連情報
【図１】
2015043179.tif 000003
【図２】
2015043179.tif 000004
【図３】
2015043179.tif 000005
【図４】
2015043179.tif 000006
【図５】
2015043179.tif 000007
【図６】
2015043179.tif 000008
【図７】
2015043179.tif 000009
【図８】
2015043179.tif 000010
【図９】
2015043179.tif 000011
【図１０】
2015043179.tif 000012
【図１１】
2015043179.tif 000013
【図１２】
2015043179.tif 000014
【図１３】
2015043179.tif 000015
【図１４】
2015043179.tif 000016
【図１５】
2015043179.tif 000017
【図１６】
2015043179.tif 000018